(57)【要約】【課題】  デジタルテレビ放送信号に含まれたインタネット信号を取り出して処理可能とするとともに、そのＷＥＢデータ信号をインタネットで上り送信可能とする。【解決手段】  携帯端末３が、アンテナ３０で受信された放送電波からデジタルテレビ信号を取り出す電波分配手段１１と、そのデジタルテレビ信号からインタネット信号を取り出すインタネット信号取出手段１７と、そのインタネット信号にもとづきネット画像とＷＥＢデータ信号とを生成するデジタルテレビＷＥＢ制御手段１８と、ＷＥＢデータ信号の言語変換を行うＷＥＢ信号共有信号処理手段１９と、言語変換されたＷＥＢデータ信号をパケット化するパケット系信号処理手段２０と、パケット化されたＷＥＢデータ信号を電話回線を介して送信する携帯端末電波処理手段（送信手段）１２とを備えた。【選択図】    図３
2007124229.tif 000002
【特許請求の範囲】
【請求項１】
受信した電波からデジタルテレビ放送信号を取り出す電波分配手段と、前記デジタルテレビ放送信号にもとづいて番組映像信号を生成するデジタルテレビ受信信号処理手段とを備えた携帯端末であって、
前記デジタルテレビ放送信号からインタネット信号を取り出すインタネット信号取出手段と、
前記インタネット信号にもとづいてネット画像信号とＷＥＢデータ信号とを生成するＷＥＢ制御手段と、
前記ネット画像信号にもとづくネット画像を表示する表示手段と、
前記ＷＥＢデータ信号を言語変換するＷＥＢ信号共有信号処理手段と、
前記ＷＥＢデータ信号をパケット化するパケット系信号処理手段と、
電話回線を介して前記ＷＥＢデータ信号を送出する送信手段とを備えた
ことを特徴とする携帯端末。
【請求項２】
前記デジタルテレビ受信信号処理手段から前記番組映像信号を入力するとともに前記ＷＥＢ制御手段から前記ネット画像信号を入力し、前記番組映像信号にもとづく前記番組映像と前記ネット画像信号にもとづくネット画像との表示の切り替えを行う表示切替制御手段を備えた
ことを特徴とする請求項１記載の携帯端末。
【請求項３】
受信した電波からデジタルテレビ放送信号を取り出す手順と、前記デジタルテレビ放送信号にもとづいて番組映像信号を生成する手順とを有したデジタル放送信号処理方法であって、
インタネット信号取出手段が前記デジタルテレビ放送信号からインタネット信号を取り出す手順と、
ＷＥＢ制御手段が前記インタネット信号にもとづいてネット画像信号とＷＥＢデータ信号とを生成する手順と、
表示手段が前記ネット画像信号にもとづくネット画像を表示する手順と、
ＷＥＢ信号共有信号処理手段が前記ＷＥＢデータ信号を言語変換する手順と、
パケット信号生成送信手段が前記ＷＥＢデータ信号をパケット化する手順と、
送信手段が電話回線を介して前記ＷＥＢデータ信号を送出する手順とを有した
ことを特徴とするデジタル放送信号処理方法。
【発明の詳細な説明】
【技術分野】
【０００１】
本発明は、携帯電話機やＰＨＳなどに代表される携帯端末、この携帯端末におけるデジタル放送信号処理方法に関し、特に、デジタル放送用インタネットを視聴するのに好適な携帯端末及びデジタル放送信号処理方法に関する。
【背景技術】
【０００２】
近年、携帯端末の製造メーカや通信事業社各社の販売競争の激化にともなって、携帯端末は、多様な機能が搭載されるようになってきている。
例えば、インタネットを介したメールの送受信機能は、電話機能とともに携帯端末の主要機能として定着している。
また、インタネットを介して携帯端末用サイトにアクセスする機能は、そのサイトの閲覧だけでなく、気に入ったソフトウエアをダウンロードして実行させることも可能となっている。
【０００３】
さらに、携帯端末は、地上デジタル放送を受信し視聴する機能を備えたものが登場してきている。
ここで、地上デジタル放送とは、デジタル化された地上波テレビ放送をいう。この地上デジタル放送の変調方式は、我が国においては、１チャンネルの周波数帯が１３個のセグメントに分割されており（全帯域幅は、５．５７ＭＨｚ）、送信側でサービス毎に１から１３のセグメントを組み合わせて送り、受信側で個別のサービスを選択して受ける方式を採用している。なお、携帯端末に対しては、そのうち１つのセグメントが割り当てられている。
【０００４】
従来、地上デジタル放送を視聴するためには、専用の地上デジタル放送受信機を購入し、これを家庭内に設置されるテレビジョンに接続し、さらにＵＨＦアンテナにも接続して、デジタル放送の電波を受信していた。これにより、ユーザは、家庭用テレビジョンに地上デジタル放送の放送番組を映し出すことができた。
地上デジタル放送受信機は、パソコンなどと異なり、リモコン操作だけで必要な情報を取得できる。このため、高齢者などコンピュータの扱いに不慣れな者にも優しい装置として今後の普及が見込まれている。
【０００５】
このように従来では、家庭で地上デジタル放送を視聴するシステムが開発され実用化されてきたが、近年では、携帯端末においても地上デジタル放送を受信し画面表示可能とする技術が開示されている（例えば、特許文献１、２参照。）。
この技術によれば、地上デジタル放送受信機やＵＨＦアンテナを購入・設置・接続することなく、携帯端末を所持するだけで手軽に地上デジタル放送を視聴できる。
【特許文献１】特開２００３−１０１８１２号公報
【特許文献２】特開２００３−１５３１１１号公報
【発明の開示】
【発明が解決しようとする課題】
【０００６】
しかしながら、従来の携帯端末においては、デジタル放送により送信されてきた放送電波と、インタネットを介して送受信する信号とは別個に処理されていた。例えば、地上デジタル放送の放送信号を受信して放送番組を表示するための処理と、インタネットのパケット通信で情報を送信するための処理とは、互換性を有することなくそれぞれ別々に行われていた。
すなわち、従来の携帯端末は、デジタルテレビ放送のテレビ画像処理とインタネット利用のパケット信号処理との共有制を目的とするものではなかった。さらに、地上デジタルテレビ放送のデータ放送とインタネットとの互換性を有するものでもなかった。
【０００７】
本発明は、上記の事情にかんがみなされたものであり、デジタルテレビ放送信号に含まれたインタネット信号を取り出して処理可能とするとともに、インタネットに接続してＷＥＢデータ信号をパケット送信可能とし、デジタルテレビ放送とインタネットとの共有制・互換性を実現可能とする携帯端末及びデジタル放送信号処理方法の提供を目的とする。
【課題を解決するための手段】
【０００８】
この目的を達成するため、本発明の携帯端末は、受信した電波からデジタルテレビ放送信号を取り出す電波分配手段と、デジタルテレビ放送信号にもとづいて番組映像信号を生成するデジタルテレビ受信信号処理手段とを備えた携帯端末であって、デジタルテレビ放送信号からインタネット信号を取り出すインタネット信号取出手段と、インタネット信号にもとづいてネット画像信号とＷＥＢデータ信号とを生成するＷＥＢ制御手段と、ネット画像信号にもとづくネット画像を表示する表示手段と、ＷＥＢデータ信号を言語変換するＷＥＢ信号共有信号処理手段と、ＷＥＢデータ信号をパケット化するパケット系信号処理手段と、電話回線を介してＷＥＢデータ信号を送出する送信手段とを備えた構成としてある。
【０００９】
携帯端末をこのような構成とすると、デジタルテレビ放送信号からインタネット信号を取り出すことができるため、デジタルテレビ放送信号に含まれたインタネット信号を携帯端末でも処理できる。
また、インタネット信号にもとづき生成されたＷＥＢデータ信号を言語変換しパケット化する機能を有するため、電話回線を介してそのパケット化した情報を送信することができる。
したがって、デジタルテレビ放送のテレビ画像処理とインタネット利用のパケット信号処理との共有制（共有化）を図ることができる。そして、地上デジタルテレビ放送のデータ放送とインタネットとの互換性をもたせることができる。さらに、地上デジタル放送の放送電波に含まれていたインタネット信号（ＷＥＢデータ信号）は、広帯域配信であり、携帯端末の電波帯よりも広いデータ帯域のため、高速ダウンロードでのデータ取得が可能となる。
【００１０】
また、本発明の携帯端末は、デジタルテレビ受信信号処理手段から番組映像信号を入力するとともにＷＥＢ制御手段からネット画像信号を入力し、番組映像信号にもとづく番組映像とネット画像信号にもとづくネット画像との表示の切り替えを行う表示切替制御手段を備えた構成としてある。
携帯端末をこのような構成とすれば、地上デジタル放送の放送番組と、インタネット信号にもとづくネット画像とを適宜切り替えて表示手段に表示させることができる。
【００１１】
また、本発明のデジタル放送信号処理方法は、受信した電波からデジタルテレビ放送信号を取り出す手順と、デジタルテレビ放送信号にもとづいて番組映像信号を生成する手順とを有したデジタル放送信号処理方法であって、インタネット信号取出手段がデジタルテレビ放送信号からインタネット信号を取り出す手順と、ＷＥＢ制御手段がインタネット信号にもとづいてネット画像信号とＷＥＢデータ信号とを生成する手順と、表示手段がネット画像信号にもとづくネット画像を表示する手順と、ＷＥＢ信号共有信号処理手段がＷＥＢデータ信号を言語変換する手順と、パケット信号生成送信手段がＷＥＢデータ信号をパケット化する手順と、送信手段が電話回線を介してＷＥＢデータ信号を送出する手順とを有した構成としてある。
【００１２】
デジタル放送信号処理方法をこのような方法とすることによっても、デジタルテレビ放送信号に含まれていたインタネット信号を携帯端末で処理可能とすることができる。また、地上デジタル放送とインタネット通信との互換性をもたせて、ＷＥＢデータ信号をインタネットで送信できる。
【発明の効果】
【００１３】
以上のように、本発明によれば、テレビ放送信号からインタネット信号を取り出すインタネット信号取出手段や、そのインタネット信号にもとづきＷＥＢデータ信号を生成するＷＥＢ制御手段、ＷＥＢデータ信号を言語変換しパケット化して送信する手段などを備えたため、デジタルテレビ放送信号に含まれていたインタネット信号を取り出して処理することができ、しかも、そのＷＥＢデータ信号を上り信号として電話回線を介して送信できる。
【発明を実施するための最良の形態】
【００１４】
以下、本発明に係る携帯端末及びデジタル放送信号処理方法の好ましい実施形態について、図面を参照して説明する。
【００１５】
まず、本発明の携帯端末の実施形態について、図１〜図３を参照して説明する。
図１は、本実施形態の携帯端末を備えたデジタル放送システムの構成を示す概略図、図２は、本実施形態の携帯端末の構成を示すブロック図、図３は、携帯端末の通信制御手段の構成を示すブロック図である。
【００１６】
図１に示すように、デジタル放送システム１は、デジタル放送の放送電波を送信する放送局（電波塔）２と、その放送電波を受信する携帯端末３と、この携帯端末３からの上り信号を受信するプロバイダ（基地局）４と、放送局２やプロバイダ４が接続されたインタネット５とを備えている。
ここで、放送局２は、デジタル放送の放送電波を送信する。また、そのデジタル放送の放送電波にインタネット信号やデータ放送に関する信号を含ませて送信することができる。
【００１７】
携帯端末３は、図２に示すように、通信制御手段１０と、アンテナ３０と、表示手段４０と、入力手段５０と、音声出力手段６０と、制御手段７０とを備えている。
通信制御手段１０は、図３に示すように、電波分配手段１１と、携帯端末電波処理手段１２と、電話通話処理手段１３と、デジタルテレビ受信信号処理手段１４と、表示切替制御手段１５と、表示信号処理手段１６と、インタネット信号取出手段１７と、デジタルテレビＷＥＢ制御手段１８と、ＷＥＢ信号共有信号処理手段１９と、パケット系信号処理手段２０とを有している。
【００１８】
電波分配手段１１は、アンテナ３０で受信された電波を、携帯端末３の通信電波帯の電波（通話信号）と、テレビ放送帯の電波（デジタルテレビ放送信号）とに分ける。具体的には、例えば、受信電波を、携帯端末３の通信電波帯の周波数である８００ＭＨｚ帯と、地上デジタルテレビ放送帯である４７０〜７７０ＭＨｚのＵＨＦ帯とに分ける。そして、通信電波帯の電波は携帯端末電波処理手段１２へ、テレビ放送帯の電波はデジタルテレビ受信信号処理手段１４へそれぞれ送る。
【００１９】
携帯端末電波処理手段１２は、携帯端末３の通信又は放送に関する各種機能を実行するための中心部（システムコントロール）である。この携帯端末電波処理手段１２は、例えば、通常の電話通話やメールなどのパケット通信の区分け処理、通信機能の分別処理、電話通話処理手段１３とパケット系信号処理手段２０との切り替え処理、メインキーで選択されたシステムの切り替え処理、電波分配手段１１から送られてきた通信電波帯の電波を通話信号として電話通話処理手段１３へ送る処理などを実行する。
また、携帯端末電波処理手段１２は、パケット系信号処理手段２０からの送信情報（ＷＥＢデータ信号）を上り信号として電話回線を介してプロバイダ（基地局）４へ送信する。これにより、携帯端末電波処理手段１２は、「送信手段」としての機能を有している。
【００２０】
電話通話処理手段１３は、携帯端末電波処理手段１２から送られてきた通話信号をデコードするとともに、音声出力手段６０へ送って音声出力させる。また、マイク（図示せず）で入力された音声をエンコードし携帯端末電波処理手段１２へ送って送信させる。
【００２１】
デジタルテレビ受信信号処理手段１４は、地上デジタルテレビ放送用のチューナ部分であって、主にテレビ番組を見るための受信処理を行う。
例えば、このデジタルテレビ受信信号処理手段１４は、電波分配手段１１からのデジタルテレビ放送信号を復調等し、このデジタルテレビ放送信号からチャンネル情報データ（ＳＩ情報等）を抽出し、番組映像信号の生成や音声信号の分離を行い、番組映像信号を表示切替制御手段１５へ送り、音声信号を音声出力手段６０に送出する。また、デジタルテレビ受信信号処理手段１４は、チャンネル番組等の割り当て、設定及びチャンネル選択等の制御などを行う。
【００２２】
表示切替制御手段１５は、デジタルテレビ受信信号処理手段１４から番組映像信号を入力するとともにデジタルテレビＷＥＢ制御手段１８からネット画像信号を入力し、番組映像信号にもとづく番組映像とネット画像信号にもとづくネット画像との表示の切り替えを制御する（番組映像又はネット画像の一方を表示手段４０に表示させる制御と、双方を表示させる制御とを含む）。そして、この切り替えにより選択された信号（番組映像信号又はネット画像信号）を表示信号処理手段１６へ送る。
【００２３】
表示信号処理手段１６は、表示切替制御手段１５での切り替えにより選択された信号（番組映像信号又はネット画像信号）を表示手段４０へ送る。また、表示信号処理手段１６は、表示手段４０での表示を制御する信号ドライブの機能を有している。
表示手段４０は、例えば液晶ディスプレイなどで構成することができ、表示信号処理手段１６から送られてきた信号にもとづき、その信号の示す情報（たとえば、番組映像，ネット画像，文字など）を表示する。
【００２４】
インタネット信号取出手段１７は、デジタルテレビ受信信号処理手段１４からデジタルテレビ放送信号を受け取り、このデジタルテレビ放送信号からインタネット信号を取り出してデジタルテレビＷＥＢ制御手段１８へ送る。
デジタルテレビＷＥＢ制御手段（ＷＥＢ制御手段）１８は、インタネット信号にもとづいてネット画像信号とＷＥＢデータ信号とを生成する。そして、ネット画像信号を表示切替制御手段１５へ送るとともに、ＷＥＢデータ信号をＷＥＢ信号共有信号処理手段１９へ送る。
【００２５】
ＷＥＢ信号共有信号処理手段１９は、デジタルテレビＷＥＢ制御手段１８からのＷＥＢデータ信号を電話回線により送信可能とするために言語変換を行う。
すなわち、ＷＥＢ信号共有信号処理手段１９は、ＨＴＭＬの共通言語解析システム（言語認識システム（互換言語））を有しており、マイクロソフト（既存ＰＣ）で作成された情報の言語を、たとえばトロン方式のコンピュータ形式に言語変換する。
この言語変換されたＷＥＢデータ信号は、パケット系信号処理手段２０へ送られる。
【００２６】
パケット系信号処理手段２０は、ＷＥＢ信号共有信号処理手段１９からのＷＥＢデータ信号をパケット化して携帯端末電波処理手段１２へ送る。
このパケット系信号処理手段２０では、例えば、上りパケット信号を携帯端末３から電波で送り返す場合に、ＷＥＢ信号共有信号処理手段１９での言語変換で生じた誤字や文字化けを確認・修正する。これにより、この携帯端末３からのパケット信号の送信を円滑に行うことができる。
【００２７】
アンテナ３０は、放送局２から送信されてきたデジタル放送の放送電波を受信する。この受信された放送電波は、電波分配手段１１へ送られる。また、アンテナ３０は、携帯端末電波処理手段１２からのＷＥＢデータ信号を上り信号として電話回線を介してプロバイダ４へ送信する。
入力手段５０は、複数のキーで構成されており、所定の情報を入力する。この入力手段５０では、ネット画像の表示内容にしたがって情報が入力される。
音声出力手段６０は、電話通話処理手段１３やデジタルテレビＷＥＢ制御手段１８から送られてきた音声信号を音声出力するスピーカ部である。
制御手段７０は、携帯端末３の有する各種機能を制御する。
【００２８】
次に、本実施形態の携帯端末の動作（デジタル放送信号処理方法）について、図４を参照して説明する。
同図は、本実施形態のデジタル放送信号処理方法の動作手順を示すフローチャートである。
【００２９】
放送局の電波塔２から送信されたデジタル放送の放送電波が、携帯端末３のアンテナ３０で受信される（ステップ１０）。
この受信された放送電波が、電波分配手段１１で、携帯端末３の通信電波帯の電波と、テレビ放送の電波帯の電波とに分けられる（テレビ放送信号の取出、ステップ１１）。
【００３０】
その電波分配手段１１で取り出されたテレビ放送の電波帯の電波（デジタルテレビ放送信号）がデジタルテレビ受信信号処理手段１４へ送られ、復調処理、伸張処理、アナログ化処理などが行われ、番組映像信号が生成されて表示切替制御手段１５へ送られる。その番組映像信号にもとづく番組映像は、表示手段４０で表示される。
また、デジタルテレビ放送信号がインタネット信号取出手段１７へ送られ、インタネット信号が取り出される（ステップ１２）。
この取り出されたインタネット信号がデジタルテレビＷＥＢ制御手段１８へ送られ、ネット画像が生成されて表示切替制御手段１５へ送られる。
表示切替制御手段１５での切替処理により、ネット画像が表示信号処理手段１６へ送られ、さらに表示手段４０へ送られて表示される（ステップ１３）。
【００３１】
また、デジタルテレビＷＥＢ制御手段１８でインタネット信号にもとづきＷＥＢデータ信号が生成される。このＷＥＢデータ信号が上りの送信情報としてＷＥＢ信号共有信号処理手段１９へ送られ、言語変換される（ステップ１５）。
この言語変換されたＷＥＢデータ信号がパケット系信号処理手段２０へ送られ、パケット化される（ステップ１６）。
このパケット化されたＷＥＢデータ信号が、携帯端末電波処理手段１２から電波分配手段１１、アンテナ３０、電話回線、そしてインタネット５を介して上り信号として送信される（ステップ１７）。
【００３２】
以上説明したように、本実施形態の携帯端末及びデジタル放送信号処理方法によれば、テレビ放送信号からインタネット信号を取り出すインタネット信号取出手段や、送信情報をパケット化し電話回線により上り信号として送信する手段などを備えたため、デジタルテレビ放送信号に含まれたインタネット信号を取り出して処理することができ、しかも、そのＷＥＢデータ信号を上り信号として電話回線により送信できる。
これにより、移動体として、災害時に必要とする詳細情報の取得はできない現在の状況に対して、総合情報の取得が最も必要な場合のシステムを提供できる。
また、コンピュータに不慣れな高齢者などであっても、リモコンを操作する感覚で気軽にデジタル放送を楽しむことができる。
【００３３】
以上、本発明の携帯端末及びデジタル放送信号処理方法の好ましい実施形態について説明したが、本発明に係る携帯端末及びデジタル放送信号処理方法は上述した実施形態にのみ限定されるものではなく、本発明の範囲で種々の変更実施が可能であることは言うまでもない。
例えば、上述した実施形態では、携帯端末の具体例として携帯電話機やＰＨＳを挙げたが、携帯端末はそれら携帯電話機等に限るものではなく、例えば、ＰＤＡや携帯型パーソナルコンピュータなども含まれる。
【００３４】
また、上述した実施形態では、デジタル放送の代表例として地上デジタル放送を挙げたが、デジタル放送は地上デジタル放送に限るものではなく、ＢＳやＣＳなどのデジタル放送を含むことができる。
さらに、図１においては、放送局と携帯端末との間、携帯端末とプロバイダ（基地局）との間は、無線による送信を行っているが、無線に限るものではなく、有線で送信することもできる。有線の場合、携帯端末においては、アンテナなどを省略できる。
【産業上の利用可能性】
【００３５】
本発明は、携帯端末においてデジタル放送とインタネットとの互換性を実現可能とする発明であるため、放送電波の受信機能を備えた携帯端末に利用可能である。
【図面の簡単な説明】
【００３６】
【図１】デジタル放送システムの構成を示す概略図である。
【図２】本発明の実施形態の携帯端末の内部構成を示すブロック図である。
【図３】携帯端末の通信制御手段の構成を示すブロック図である。
【図４】本発明の実施形態の携帯端末の動作を示すフローチャートである。
【符号の説明】
【００３７】
１  デジタル放送システム
２  放送局（電波塔）
３  携帯端末
１０  通信制御手段
１１  電波分配手段
１２  携帯端末電波処理手段
１３  電話通話処理手段
１４  デジタルテレビ受信信号処理手段
１５  表示切替制御手段
１６  表示信号処理手段
１７  インタネット信号取出手段
１８  デジタルテレビＷＥＢ制御手段
１９  ＷＥＢ信号共有信号処理手段
２０  パケット系信号処理手段
３０  アンテナ
４０  表示手段
５０  入力手段
６０  音声出力手段
【図１】
2007124229.tif 000003
【図２】
2007124229.tif 000004
【図３】
2007124229.tif 000005
【図４】
2007124229.tif 000006